(57)【要約】【課題】  本発明は、プレイヤーの体型や好み等に応じてライ角度、フェイス角度、ロフト角度を調節して組み立てることができると共に組み立てたゴルフクラブの外観品質やクラブヘッドの反発力が低下することがない調節組立可能ゴルフクラブを提供する。【解決手段】  調節組立可能ゴルフクラブ１０のクラブヘッド１２の内部には四角錐形状のシャフト角度調節ケース２２が固定されている。このシャフト角度調節ケース２２にはシャフト保持筒体３２が収容されている。また、シャフト保持筒体３２にはシャフト挿入部３４が形成されると共に底面部には固定用オネジ３６が突設されている。前記シャフト保持筒体３２の上端部外周面にはネジ部４６が形成され、固定用メネジ５０が螺合するようになっている。前記シャフト保持筒体３２の下部の側面には接着剤用孔５４が貫通形成されている。【選択図】  図１
2006334142.tif 000002
【特許請求の範囲】
【請求項１】
クラブヘッドのシャフトガイドパイプに対応してクラブヘッドの内部に固定されると共に下部に行くに従い拡開されたシャフト角度調節ケースと、このシャフト角度調節ケースの底面部に形成された固定用オネジ挿通開口部と、前記シャフト角度調節ケースに収容されると共に前記固定用オネジ挿通開口部よりも大径に形成されたシャフト保持筒体と、このシャフト保持筒体に形成されてクラブシャフトの先端部が挿入されるシャフト収容部と、前記シャフト保持筒体の底面部に突設されると共に前記固定用オネジ挿通開口部より小径に形成されて固定用オネジ挿通開口部に遊嵌される固定用オネジと、この固定用オネジに螺合して前記シャフト保持筒体をシャフト角度調節ケースに固定する固定用ナットと、前記シャフト保持筒体の上端部の外周面に形成されたネジ部と、このネジ部に螺合されて前記シャフト保持筒体をシャフト角度調節ケースに固定するする固定用メネジと、を有してなることを特徴とする調節組立可能ゴルフクラブ。
【請求項２】
クラブヘッドのシャフトガイドパイプに対応してクラブヘッドの内部に固定されると共に下部に行くに従い拡開されたシャフト角度調節ケースと、このシャフト角度調節ケースの底面部に形成された固定用オネジ挿通開口部と、前記シャフト角度調節ケースに収容されると共に前記固定用オネジ挿通開口部よりも大径に形成されたシャフト保持筒体と、このシャフト保持筒体に形成されてクラブシャフトの先端部が挿入されるシャフト収容部と、前記シャフト保持筒体の底面部に突設されると共に前記固定用オネジ挿通開口部より小径に形成されて固定用オネジ挿通開口部に遊嵌される固定用オネジと、この固定用オネジに螺合して前記シャフト保持筒体をシャフト角度調節ケースに固定する固定用ナットと、前記シャフト保持筒体の上端部の外周面に形成されたネジ部と、このネジ部に螺合されて前記シャフト保持筒体をシャフト角度調節ケースに固定するする固定用メネジと、前記シャフト保持筒体の側面に貫通形成されると共に前記シャフト挿入部に充填した接着剤を前記シャフト角度調節ケースに流し込む接着剤通過孔と、を有してなることを特徴とする調節組立可能ゴルフクラブ。
【請求項３】
クラブヘッドのシャフトガイドパイプに対応してクラブヘッドの内部に固定されると共に下部に行くに従い拡開されたシャフト角度調節ケースと、このシャフト角度調節ケースの底面部に形成された固定用オネジ挿通開口部と、前記シャフト角度調節ケースに収容されると共に前記固定用オネジ挿通開口部よりも大径に形成されたシャフト保持筒体と、このシャフト保持筒体に形成されてクラブシャフトの先端部が挿入されるシャフト収容部と、前記シャフト保持筒体の底面部に突設されると共に前記固定用オネジ挿通開口部より小径に形成されて固定用オネジ挿通開口部に遊嵌される固定用オネジと、この固定用オネジに螺合して前記シャフト保持筒体をシャフト角度調節ケースに固定する固定用ナットと、前記シャフト保持筒体の上端部の外周面に形成されたネジ部と、このネジ部に螺合されて前記シャフト保持筒体をシャフト角度調節ケースに固定するする固定用メネジと、前記シャフト保持筒体の側面に貫通形成されると共に前記シャフト挿入部に充填した接着剤を前記シャフト角度調節ケースに流し込む接着剤通過孔と、前記シャフト角度調節ケースの側面に形成されたライ角度補助調節用ネジ孔と、このライ角度補助調節用ネジ孔に螺入されて前記シャフト保持筒体の側面に当接することによりライ角度を補助的に調節することができるライ角度補助調節用ネジと、前記シャフト角度調節ケースに収容されてシャフト保持筒体の移動を阻止する移動阻止体と、を有してなることを特徴とする調節組立可能ゴルフクラブ。
【請求項４】
前記シャフト角度調節ケースの形状を四角錐形状に形成したことを特徴とする請求項１、請求項２、請求項３の調節組立可能ゴルフクラブ。
【発明の詳細な説明】
【技術分野】
【０００１】
本発明は、プレイヤーの体型や好み等に応じてライ角度やフェイス角度等を調節して組み立てることができる調節組立可能ゴルフクラブに関する。
【背景技術】
【０００２】
通常、ゴルフクラブのライ角度、フェイス角度、ロフト角度はプレイヤーの体型や好み等によって微妙に相違する。
しかし、従来のゴルフクラブにおいてはライ角度、フェイス角度、ロフト角度は予め決定された状態で組み立てられているのでプレイヤーの体型や好み等に応じてゴルフクラブのライ角度、フェイス角度、ロフト角度を調節して組み立てることができず、各プレイヤー毎に合った最適なゴルフクラブを提供することが困難である。
そこで、本出願人はゴルフクラブのライ角度やフェイス角度をプレイヤーの体型や好み等によって微妙に調節して組み立てることができる角度調節可能ゴルフクラブを特許出願した。
この角度調節可能ゴルフクラブはクラブヘッドの内部に固定されたシャフト角度調節ケースにクラブシャフトの先端部を遊嵌状態で挿入して接着剤のみでクラブシャフトをシャフト角度調節ケースに固定している。このため、経時的変化等によりクラブシャフトがシャフト角度調節ケース内部で軸回り方向に回転してしまうというおそれがある。
また、この角度調節可能ゴルフクラブにおいてはライ角度の調節をライ角度調節ネジによって、フェイス角度の調節をフェイス角度調節ネジによって行っている。しかし、前記ライ角度調節ネジはクラブヘッドの側面に現れ、前記フェイス角度調節ネジはクラブヘッドのフェイス面に現れてしまうため、ゴルフクラブの見栄えが悪くなって外観品質が低下するという不具合がある。
また、最近、クラブヘッドのフェイス面の厚みを薄くしてフェイス面を高反発にしてゴルフボールの飛距離を伸ばすゴルフクラブが注目されているが、前記フェイス角度調節ネジをクラブヘッドのフェイス面に設けるとクラブヘッドのフェイス面の反発力が低下してしまうという不具合がある。
【特許文献１】特開２００４−２４２９３
【発明の開示】
【発明が解決しようとする課題】
【０００３】
本発明は、上記事実に鑑みなされたものであり、プレイヤーの体型や好み等に応じてライ角度、フェイス角度、ロフト角度を調節して組み立てることができると共に組み立てたゴルフクラブの外観品質やクラブヘッドの反発力が低下することがない調節組立可能ゴルフクラブを提供するものである。
【課題を解決するための手段】
【０００４】
請求項１の発明は、クラブヘッドのシャフトガイドパイプに対応してクラブヘッドの内部に固定されると共に下部に行くに従い拡開されたシャフト角度調節ケースと、このシャフト角度調節ケースの底面部に形成された固定用オネジ挿通開口部と、前記シャフト角度調節ケースに収容されると共に前記固定用オネジ挿通開口部よりも大径に形成されたシャフト保持筒体と、このシャフト保持筒体に形成されてクラブシャフトの先端部が挿入されるシャフト収容部と、前記シャフト保持筒体の底面部に突設されると共に前記固定用オネジ挿通開口部より小径に形成されて固定用オネジ挿通開口部に遊嵌される固定用オネジと、この固定用オネジに螺合して前記シャフト保持筒体をシャフト角度調節ケースに固定する固定用ナットと、前記シャフト保持筒体の上端部の外周面に形成されたネジ部と、このネジ部に螺合されて前記シャフト保持筒体をシャフト角度調節ケースに固定するする固定用メネジと、を有してなることを特徴としている。
請求項２の発明は、クラブヘッドのシャフトガイドパイプに対応してクラブヘッドの内部に固定されると共に下部に行くに従い拡開されたシャフト角度調節ケースと、このシャフト角度調節ケースの底面部に形成された固定用オネジ挿通開口部と、前記シャフト角度調節ケースに収容されると共に前記固定用オネジ挿通開口部よりも大径に形成されたシャフト保持筒体と、このシャフト保持筒体に形成されてクラブシャフトの先端部が挿入されるシャフト収容部と、前記シャフト保持筒体の底面部に突設されると共に前記固定用オネジ挿通開口部より小径に形成されて固定用オネジ挿通開口部に遊嵌される固定用オネジと、この固定用オネジに螺合して前記シャフト保持筒体をシャフト角度調節ケースに固定する固定用ナットと、前記シャフト保持筒体の上端部の外周面に形成されたネジ部と、このネジ部に螺合されて前記シャフト保持筒体をシャフト角度調節ケースに固定するする固定用メネジと、前記シャフト保持筒体の側面に貫通形成されると共に前記シャフト挿入部に充填した接着剤を前記シャフト角度調節ケースに流し込む接着剤通過孔と、を有してなることを特徴としている。
請求項３の発明は、クラブヘッドのシャフトガイドパイプに対応してクラブヘッドの内部に固定されると共に下部に行くに従い拡開されたシャフト角度調節ケースと、このシャフト角度調節ケースの底面部に形成された固定用オネジ挿通開口部と、前記シャフト角度調節ケースに収容されると共に前記固定用オネジ挿通開口部よりも大径に形成されたシャフト保持筒体と、このシャフト保持筒体に形成されてクラブシャフトの先端部が挿入されるシャフト収容部と、前記シャフト保持筒体の底面部に突設されると共に前記固定用オネジ挿通開口部より小径に形成されて固定用オネジ挿通開口部に遊嵌される固定用オネジと、この固定用オネジに螺合して前記シャフト保持筒体をシャフト角度調節ケースに固定する固定用ナットと、前記シャフト保持筒体の上端部の外周面に形成されたネジ部と、このネジ部に螺合されて前記シャフト保持筒体をシャフト角度調節ケースに固定するする固定用メネジと、前記シャフト保持筒体の側面に貫通形成されると共に前記シャフト挿入部に充填した接着剤を前記シャフト角度調節ケースに流し込む接着剤通過孔と、前記シャフト角度調節ケースの側面に形成されたライ角度補助調節用ネジ孔と、このライ角度補助調節用ネジ孔に螺入されて前記シャフト保持筒体の側面に当接することによりライ角度を補助的に調節することができるライ角度補助調節用ネジと、前記シャフト角度調節ケースに収容されてシャフト保持筒体の移動を阻止する移動阻止体と、を有してなることを特徴としている。
請求項４の発明は、前記シャフト角度調節ケースの形状を四角錐形状に形成したことを特徴としている。
【発明の効果】
【０００５】
本発明の調節組立可能ゴルフクラブは、プレイヤーの体型や好み等に応じてライ角度、フェイス角度、ロフト角度を調節して組み立てすることができるという優れた効果を有する。
また、本発明の調節組立可能ゴルフクラブは、クラブヘッドにライ角度調節ネジやフェイス角度調節ネジが現れないのでゴルフクラブの外観品質の低下を防止できると共に部品点数を抑えることができるという優れた効果を有する。
さらに、本発明の調節組立可能ゴルフクラブは、クラブヘッドのフェイス面にフェイス角度調節ネジを設けないのでクラブヘッドの反発力が低下することを防止できるという優れた効果を有する。
【発明を実施するための最良の形態】
【０００６】
発明を実施するために最良の形態の例として以下のような実施例を示す。
【実施例１】
【０００７】
図１〜図７には本発明にかかる調節組立可能ゴルフクラブの第１実施例が示されている。
なお、実施例ではドライバー用のゴルフクラブを用いて本発明の調節組立可能ゴルフクラブを説明する。
図７に示されるように、実施例の調節組立可能ゴルフクラブ１０は通常のゴルフクラブと同様にクラブヘッド１２とクラブシャフト１４を備え、クラブシャフト１４の基端部にはグリップ部１６が設けられている。このクラブヘッド１２はチタン等の適宜金属材料で形成され、クラウンプレート１２Ａ，ソール部１２Ｂ，フェイス面１２Ｃを有している。
図１及び図２に示されるように、前記クラブヘッド１２の内部には空洞部１８が形成されている。図２に示されるように、この空洞部１８はクラウンプレート１２Ａに切り欠き形成された開口部１９によって外部と通じ、開口部１９を開口部蓋プレート（図示せず）で塞ぐことにより外部と遮断されるようになっている。
図１に示されるように、前記クラウンプレート１２Ａにはシャフトガイドパイプ部２０が一体的に突出形成されている。このシャフトガイドパイプ部２０から空洞部１８にかけてはシャフト角度調節ケース２２が挿入固定されている。このシャフト角度調節ケース２２は溶接等の適宜手段で前記クラブヘッド１２の内部に固定されている。
図４に示されるように、このシャフト角度調節ケース２２は下端部に行くに従い拡開する四角錐形状に形成されている。このシャフト角度調節ケース２２の天面部２２Ａには円形状のシャフト保持筒体挿入孔２４が貫通形成され、底面部２２Ｂには固定用オネジ挿通開口部２６が貫通形成されている。また、シャフト角度調節ケース２２の側面には通気孔２８が貫通形成されている。この通気孔２８は後述するようにバーナー等で過熱して接着剤を溶かす場合において、熱が通気孔２８を介してシャフト角度調節ケース２２から逃げられるようになっている。
図１に示されるように、前記シャフト角度調節ケース２２には筒状のシャフト保持筒体３２が収容されるようになっている。このシャフト保持筒体３２は固定用オネジ挿通開口部２６よりも大径に形成されている。また、シャフト保持筒体３２にはシャフト挿入部３４が形成され、前記クラブシャフト１４の先端部１４Ａがフィットした状態で挿入されるようになっている。
前記シャフト保持筒体３２の底面部にはチタン製の固定用オネジ３６が突設さた状態で固定されている。この固定用オネジ３６は前記固定用オネジ挿通開口部２６に比べてかなり小径に形成されているので、固定用オネジ３６は固定用オネジ挿通開口部２６に遊嵌状態で挿通されるようになっている。従って、前記シャフト角度調節ケース２２にシャフト保持筒体３２を収容した場合はシャフト角度調節ケース２２の内部である程度自由に動くことができるようになっている。
前記固定用オネジ３６には前記固定用オネジ挿通開口部２６を完全に塞ぐことができる大きさの接着剤漏れ防止シート４０とワッシャー４２を介して固定用ナット４４が締め付けられるようになっている。
図１に示されるように、前記固定用オネジ３６の頭部３６Ａは前記シャフト保持筒体３２のシャフト挿入部３４に位置し、頭部３６Ａにはドライバーを差し込めるドライバー用溝３６Ｂが形成されている。
前記シャフト保持筒体３２の上端部の外周面にはネジ部４６（図３参照）が形成され、このネジ部４６には固定用メネジ５０が螺合するようになっている。従って、この固定用メネジ５０を締め付けると固定用メネジ５０の下端面５０Ａがシャフトガイドパイプ部２０の上端面２０Ａに密着当接するようになっている。なお、前記クラブシャフト１４にはソケット５２が被されるようになっている。
また、前記シャフト保持筒体３２の下部の側面には接着剤用孔５４が貫通形成されている。この接着剤用孔５４は前記シャフト保持筒体３２のシャフト挿入部３４に接着剤５６（この実施例で使用している接着剤は十数時間後に固まる遅効性の接着剤で神戸市中央区のバンティコ株式会社製造の商品名「アラルダイドスタンダード」）を充填し、シャフト挿入部３４に接着剤押圧シャフト（図示せず）を挿入することにより接着剤５６は前記接着剤用孔５４を介してシャフト角度調節ケース２２の内部に入り込むことができるようになっている。なお、シャフト角度調節ケース２２内に入り込んだ接着剤５６は前記接着剤漏れ防止シート４０によって外部に漏れないようになっている。
【０００８】
次に、第１実施例の調節組立可能ゴルフクラブ１０の作用について説明する。
調節組立可能ゴルフクラブ１０を使用するプレイヤーに合わせて調節して組み立てる場合は、プレイヤーはアドバイザー等のアドバイスを受けて自分に最適なライ角度、フェイス角度、ロフト角度をアドバイスして貰う。
そして、前記調節組立可能ゴルフクラブ１０のクラブヘッド１２を保持する公知のクラブヘッド保持体（図示せず）にアドバイスして貰ったライ角度（図７に示す角度Ａ）、フェイス角度（図５に示す角度Ｂ）、ロフト角度（図６に示す角度Ｃ）に従ってクラブヘッド１２を保持させる。
そして、前記クラブヘッド保持体に固定されているクラブヘッド１２のシャフトガイドパイプ部２０からシャフト保持筒体３２を挿入してシャフト保持筒体３２の固定用オネジ３６をシャフト角度調節ケース２２の底面部２２Ｂに形成された固定用オネジ挿通開口部２６に挿通させる。なお、前記シャフト角度調節ケース２２は四角錐形状に形成されているので、シャフト角度調節ケース２２内のシャフト保持筒体３２を比較的自由に動かすことができ調節し易くなっている。
そして、前記固定用オネジ３６に接着剤漏れ防止シート４０、ワッシャー４２、固定用ナット４４を配設すると共に固定用ナット４４を固定して、ドライバー（図示せず）をシャフト保持筒体３２のシャフト挿入部３４に入れて固定用オネジ３６の頭部３６Ａのドライバー用溝３６Ｂに差し込んでドライバーを回転させることにより、前記固定用ナット４４を締め付ける。これにより、シャフト保持筒体３２はシャフト角度調節ケース２２に固定される。
そして、シャフト保持筒体３２の上端部のネジ部４６に固定用メネジ５０を締め付けることにより、シャフト保持筒体３２を下部と上部の２箇所で固定する。このときクラブへッド１２のシャフトガイドパイプ部２０の上端面２０Ａと固定用メネジ５０の下端面５０Ａの当接が密着して当接しない場合は一旦固定用メネジ５０を取り外してからグラインダー等の研磨機（図示せず）でシャフトガイドパイプ部２０の上端面２０Ａを研磨することにより、固定用メネジ５０の下端面５０Ａをシャフトガイドパイプ部２０の上端面２０Ａに密着当接した状態で締め付けることができる。
そして、前記シャフト保持筒体３２の固定作業が終了したらシャフト挿入部３４の中に接着剤５６を充填して、シャフト挿入部３４に接着剤押圧シャフト（図示せず）を挿入する。この接着剤押圧シャフトを接着剤５６が充填されたシャフト挿入部３４に挿入することにより、シャフト挿入部３４内の接着剤５６は接着剤用孔５４を介してシャフト角度調節ケース２２に入り込む。これにより、シャフト角度調節ケース２２に入り込んだ接着剤５６によってもシャフト保持筒体３２は固定されるようになる。
そして、接着剤押圧シャフトをシャフト挿入部３４から抜いて、最後に接着剤５６を塗ったクラブシャフト１４の先端部１４Ａを前記シャフト保持筒体３２のシャフト挿入部３４に挿入することによりクラブシャフト１４を前記シャフト保持筒体３２に固定することにより組立作業が終了する。
これにより、クラブシャフト１４が挿入されるシャフト保持筒体３２はシャフト角度調節ケース２２に２ヶ所でネジ止めされると共に接着剤５６によっても固定されるので、経時的変化でクラブシャフト１４が軸回り方向に回転してしまうことを防止することができる。
従って、前記調節組立可能ゴルフクラブ１０においてはプレイヤーの体型や好み等に応じてライ角度、フェイス角度、ロフト角度を調節して組み立てることができると共に従来のようにライ角度調節用ネジやフェイス角度調節用ネジ等を不要にするので部品点数を抑えたゴルフクラブを提供することができる。
また、前記調節組立可能ゴルフクラブ１０においてはライ角度やフェイス角度を調節するためのライ角度調節ネジ、フェイス角度調節ネジがクラブヘッド１２の外側に現れないので見栄えがよく外観品質が低下するのを確実に防止することができる。
さらに、前記調節組立可能ゴルフクラブ１０においてはクラブヘッド１２のフェイス面１２Ｃにフェイス角度調節ネジが配設されないのでフェイス面１２Ｃの反発力が低下する等の不具合が生じることを防止できる。
。
なお、前記調節組立可能ゴルフクラブ１０のライ角度、フェイス角度、ロフト角度を変更したくなった場合は、バーナー等で加熱して前記接着剤５６を溶かしてから上記手順を改めて行うことにより再度変更したライ角度、フェイス角度、ロフト角度のゴルフクラブを組み立てることができるので、新しいゴルフクラブを購入する必要が無いので経済的である。
【０００９】
図８及び図９には第２実施例の前記調節組立可能ゴルフクラブ６０が示されている。なお、第１実施例の調節組立可能ゴルフクラブ１０と同一の構成は同一の符号を用いて、その説明は省略する。
図８に示されるように、前記シャフト角度調節ケース２２の側面には通気孔２８に代わってライ角度補助調節用ネジ孔６２が形成されている。このライ角度補助調節用ネジ孔６２にはライ角度補助調節用ネジ６４が進退可能に螺入されている。従って、ライ角度補助調節用ネジ６４を螺入してライ角度補助調節用ネジ６４の先端面がシャフト保持筒体３２の側面に当接することにより補助的にライ角度を調節できるようになっている。
また、シャフト角度調節ケース２２の内部にはゴムやスポンジ等の適宜材料で形成された移動阻止体６６が収容されている。この移動阻止体６６は前記シャフト保持筒体３２の側部に位置してシャフト保持筒体３２が大きく移動するのを阻止できるようになっている。
従って、第２実施例の調節組立可能ゴルフクラブ６０においてはライ角度補助調節用ネジ孔６２に螺入されたライ角度補助調節用ネジ６４を進退可能させることにより、クラブシャフト１４のライ角度を補助的に微調節することができる。
また、シャフト角度調節ケース２２の内部には前記移動阻止体６６が収容されているので前記シャフト保持筒体３２の移動を阻止できるようになっている。
なお、他の構成、作用、効果は第１実施例の調節組立可能ゴルフクラブ１０と同一であるので、説明は省略する。
【００１０】
なお、実施例ではドライバー用のゴルフクラブを用いて本発明の調節組立可能ゴルフクラブを説明したが、本発明が適用されるのはドライバー用のゴルフクラブに限定されるものでないことは勿論である。
また、使用される接着剤は実施例で使用された接着剤５６に限定されるものでないことは勿論である。
【図面の簡単な説明】
【００１１】
【図１】第１実施例の調節組立可能ゴルフクラブの一部拡大縦断面図である。
【図２】第１実施例の調節組立可能ゴルフクラブの分解斜視図である。
【図３】第１実施例の調節組立可能ゴルフクラブの一部分解斜視図である。
【図４】第１実施例の調節組立可能ゴルフクラブのシャフト角度調節ケースの斜視図である。
【図５】第１実施例の調節組立可能ゴルフクラブのクラブヘッドの平面図である。
【図６】第１実施例の調節組立可能ゴルフクラブのクラブヘッドの側面図である。
【図７】第１実施例の調節組立可能ゴルフクラブの正面図である。
【図８】第２実施例の調節組立可能ゴルフクラブの一部拡大縦断面図である。
【図９】第２実施例の調節組立可能ゴルフクラブのシャフト角度調節ケースの斜視図である。
【符号の説明】
【００１２】
１０    調節組立可能ゴルフクラブ
１２    クラブヘッド
１２    クラブシャフト
１６    グリップ部
１８    空洞部
２０    シャフトガイドパイプ部
２２    シャフト角度調節ケース
２４    シャフト保持筒体挿入孔
２６    固定用オネジ挿通開口部
３２    シャフト保持筒体
３４    シャフト挿入部
３６    固定用オネジ
４０    接着剤漏れ防止シート
４４    固定用ナット
４６    ネジ部
５０    固定用メネジ
５４    接着剤用孔
５６    接着剤
【図１】
2006334142.tif 000003
【図２】
2006334142.tif 000004
【図３】
2006334142.tif 000005
【図４】
2006334142.tif 000006
【図５】
2006334142.tif 000007
【図６】
2006334142.tif 000008
【図７】
2006334142.tif 000009
【図８】
2006334142.tif 000010
【図９】
2006334142.tif 000011